(57)【要約】【課題】生体情報測定装置に関するもので、小型化することを目的とする。【解決手段】生体情報測定装置１は、センサベース４と、センサベース４に取り付けられると共に人体２への挿入部４３がセンサベース４の下方に延長され、その接続用の第１の電極（４５〜４７）がセンサベース４の上面側に配置されたセンサユニット９と、センサベース４の上面側において、センサユニット９の第１の電極（４５〜４７）が導電性接着剤５２によって電気的に接続された第２の電極（４８〜５０）を有する配線基板４０と、を備える。センサユニット９の第１の電極（４５〜４７）は、センサベース４に対して垂直方向に立ち上げられ、配線基板４０の第２の電極（４８〜５０）は、センサベース４に対して水平方向に配置されている。【選択図】図５７
2020157017.tif 000002
【特許請求の範囲】
【請求項１】
センサベースと、
前記センサベースに取り付けられると共に、人体への挿入部が前記センサベースの下方に延長され、接続用の第１の電極が前記センサベースの上面側に配置されたセンサユニットと、
前記センサベースの上面側において、前記センサユニットの前記第１の電極が導電性接着剤によって電気的に接続された第２の電極を有する配線基板と、
を備え、
前記センサユニットの前記第１の電極の部分は、前記センサベースに対して垂直方向に立ち上げられ、前記配線基板の前記第２の電極の部分は、前記センサベースに対して水平方向に配置されている、
生体情報測定装置。
【請求項２】
前記センサユニットの表裏面に複数の前記第１の電極が配置され、前記配線基板の前記第２の電極は、これら複数の前記第１の電極に対応して配置されている、
請求項１に記載の生体情報測定装置。
【請求項３】
前記センサユニットの表裏面の少なくとも一方には、複数の前記第１の電極が所定間隔離して配置されると共に、前記配線基板には、複数の前記第１の電極に対応する第２の電極が所定間隔離して配置されており、
前記センサベースにおいて、前記配線基板の前記第２の電極間には、垂直方向に突出する突起が配置されている、
請求項２に記載の生体情報測定装置。
【請求項４】
前記センサユニットは、縦方向の板状体であって、前記配線基板の前記第２の電極に接続される前記第１の電極が配置された上方の接続部と、前記接続部から側方に延長され且つ下方に延長された人体への挿入部と、を有する、
請求項１から３のいずれか１つに記載の生体情報測定装置。
【請求項５】
前記センサユニットは、前記導電性接着剤が、前記第１の電極部分と、前記第１の電極が設けられた部位とに跨がって配置されている、
請求項１から４のいずれか１つに記載の生体情報測定装置。
【請求項６】
前記配線基板は、前記導電性接着剤が、前記第２の電極部分と、前記第２の電極が設けられた部位にと跨がって配置されている、
請求項１から５のいずれか１つに記載の生体情報測定装置。
【発明の詳細な説明】
【技術分野】
【０００１】
本発明は、例えば、持続血糖測定を行う生体情報測定装置に関するものである。
【背景技術】
【０００２】
従来の生体情報測定装置の構成は、以下のような構成となっていた。
すなわち、この種生体情報測定装置は、センサユニットを人体内に挿入し、このセンサユニットで検出した血糖値情報を、同じく人体に装着したセンサベースを介してトランスミッタに伝達し、このトランスミッタによって血糖値が持続的に測定されるようになっていた。
【０００３】
前記センサユニットは、上述のように、人体に挿入されるものであるので、滅菌パック内に保管され、実使用時にセンサベースに装着され、この状態でインサータによってセンサベースと共に人体側に押しつけて使用されていた（例えば、特許文献１参照）。
【先行技術文献】
【特許文献】
【０００４】
【特許文献１】特表２０１５−５０９０１１号公報
【発明の概要】
【発明が解決しようとする課題】
【０００５】
上記従来例においては、センサユニットがセンサベースとは別体の状態で滅菌保管されているので、使用時には、先ずセンサユニットが収納された滅菌パックが開封される。続いて、センサベースが収納されたインサータが開封され、その後、センサユニットがセンサベースに結合された状態で、インサータによって人体に装着されていた。
しかしながら、従来例のセンサユニットには、その後、センサベースに電気的に接続するためのコネクタが配置されている。このため、センサユニット自体が大きくなり、当然、センサユニットを取り付けたセンサベースも大きくなり、小型化が求められている。
【０００６】
そこで本発明は、生体情報測定装置を小型化することを目的とするものである。
【課題を解決するための手段】
【０００７】
そして、この目的を達成するために本発明は、センサベースと、センサベースに取り付けられると共に、人体への挿入部がセンサベースの下方に延長され、接続用の第１の電極がセンサベースの上面側に配置されたセンサユニットと、センサベースの上面側において、センサユニットの第１の電極が導電性接着剤によって電気的に接続された第２の電極を有する配線基板と、を備えている。センサユニットの第１の電極の部分は、センサベースに対して垂直方向に立ち上げられ、配線基板の第２の電極の部分は、センサベースに対して水平方向に配置された、構成としている。
【０００８】
これにより、所期の目的を達成するものである。
【発明の効果】
【０００９】
以上のように本発明は、センサベースの配線基板にセンサユニットを直付けされているため、センサユニットにコネクタを配置したり、それをセンサベースに結合したりするものに対して、極めて小型化することができる。
すなわち、センサユニットの第１の電極は、センサベースに対して垂直方向に立ち上げられ、配線基板の第２の電極部分は、センサベースに対して水平方向に配置されている。これにより、両者の接続部分に、導電性接着剤を容易に配置することができるため、装置を小型化することができる。
【００１０】
つまり、センサユニットの第１の電極がセンサベースに対して水平方向に配置され、また、配線基板の第２の電極もセンサベースに対して水平方向に配置された場合には、センサベースにおいて、これら第１・第２の電極が占める平面面積が広くなってしまい、装置の小型化が難しくなる。
これに対して、センサユニットの第１の電極をセンサベースに対して垂直方向に立ち上げたことで、第１・第２の電極が占める平面面積が小さくなり、装置の小型化が達成できる。
【図面の簡単な説明】
【００１１】
【図１】本発明の実施の形態１に係る生体情報測定装置の使用状態を示す斜視図。
【図２】図１の生体情報測定装置の斜視図。
【図３】図１の生体情報測定装置の分解斜視図。
【図４】図１のセンサベースの分解斜視図。
【図５】図１のトランスミッタの斜視図。
【図６】図１のトランスミッタの正面図。
【図７】図１のトランスミッタの分解斜視図。
【図８】図１の生体情報測定装置の電気回路図。
【図９】図１のセンサベースを装着するインサータを示す分解斜視図。
【図１０】図９のインサータの斜視図。
【図１１】図９のインサータの断面図。
【図１２】図９のインサータの一部を拡大した断面図。
【図１３】図１のセンサベースにトランスミッタを装着する状態を示す斜視図。
【図１４】図１のセンサベースにトランスミッタを装着する状態を示す正面図。
【図１５】図１のセンサベースにトランスミッタを装着する状態を示す正面図。
【図１６】図１のセンサベースにトランスミッタを装着する状態を示す正面図。
【図１７】図１のセンサベースの上方からの斜視図。
【図１８】図１７のセンサベースの一部を拡大した斜視図。
【図１９】図１の生体情報測定装置の断面図。
【図２０】図１の生体情報測定装置の平面図。
【図２１】図１のセンサベースの平面図。
【図２２】図２０のＡ−Ａ部分の断面図。
【図２３】図２０のＡ−Ａ部分の断面図。
【図２４】図２０のＡ−Ａ部分の断面図。
【図２５】図１のセンサベースにトランスミッタを装着する状態を示す平面図。
【図２６】図１のセンサベースの平面図。
【図２７】図１のセンサベースの平面図。
【図２８】図１のセンサベースの平面図。
【図２９】図１の生体情報測定装置の一部を拡大した断面図。
【図３０】図１の生体情報測定装置の斜視図。
【図３１】図１の生体情報測定装置の正面図。
【図３２】図１の生体情報測定装置における底面部分の構成を示す平面図。
【図３３】図１の生体情報測定装置を取り外す状態を示す正面図。
【図３４】図１の生体情報測定装置のトランスミッタを取り外す状態を示す斜視図。
【図３５】図１の生体情報測定装置のトランスミッタを取り外す状態を示す斜視図。
【図３６】図１の生体情報測定装置の断面図。
【図３７】図３６のＡ部分の拡大断面図。
【図３８】図１のセンサベースの平面図。
【図３９】図１のセンサベースの斜視図。
【図４０】図１のセンサベースの斜視図。
【図４１】図１のセンサベースの平面図。
【図４２】図１のセンサベースの断面図。
【図４３】図１のセンサベース内の配置関係を示す平面図。
【図４４】図１のセンサベース内の部品を示す斜視図。
【図４５】図１のセンサベース内の部品を示す斜視図。
【図４６】図１のセンサベース内の部品を示す分解斜視図。
【図４７】図１のセンサベース内の部品を示す平面図。
【図４８】図１のセンサベースのセンサユニットを示す正面図。
【図４９】図１のセンサベースのセンサユニットを示す正面図。
【図５０】図１のセンサベースにおいて他のセンサユニットを示す正面図。
【図５１】図１のセンサベースにおいて他のセンサユニットを示す正面図。
【図５２】図１のセンサベースのセンサユニットを示す斜視図。
【図５３】図１のセンサベースにおいてセンサユニットの取付状態を示す斜視図。
【図５４】図１のセンサベースにおいてセンサユニットの取付状態を示す斜視図。
【図５５】図１のセンサベースにおいてセンサユニットの取付状態を示す斜視図。
【図５６】図１のセンサベースにおいてセンサユニットの取付状態を示す平面図。
【図５７】図１のセンサベースにおいてセンサユニットの取付状態を示す平面図。
【図５８】図１のセンサベースにおいてセンサユニットの取付状態を示す断面図。
【図５９】図１のセンサベースの平面図。
【図６０】図１のセンサベースの底面図。
【図６１】図１のセンサベースの一部を拡大した断面図。
【図６２】図１のセンサベースの一部を拡大した断面図。
【図６３】図１のセンサベースの一部を拡大した底面図。
【図６４】図１のセンサベースおよびトランスミッタの断面図。
【図６５】図１のセンサベースを底面側から見た斜視図。
【図６６】図１のセンサベースを底面側から見た斜視図。
【図６７】図１のセンサベースの一部を拡大した断面図。
【図６８】図１のトランスミッタの基板を示す平面図。
【図６９】図１のトランスミッタのテスト状態を説明する図。
【図７０】図１のトランスミッタのテスト状態を説明する図。
【図７１】図１０のインサータにおいて他の封止機構の構成を示す斜視図。
【図７２】図１のセンサベースにおいてセンサユニットの他の取付状態を示す断面図。
【図７３】図１のセンサベースの一部を拡大した断面図。
【図７４】図７３の温度センサと熱伝導突起部分を説明するための平面図。
【図７５】図１のトランスミッタの他の構成を示す斜視図。
【図７６】図１のセンサベースの他の構成を示す斜視図。
【図７７】図７５のトランスミッタと図７６のセンサベースの断面図。
【発明を実施するための形態】
【００１２】
（実施の形態１）
以下に、本発明の一実施形態を、添付図面を用いて説明する。
図１は、生体情報測定装置１を示している。生体情報測定装置１は、人体２の腕３に装着され、例えば、血糖値を持続的に測定する状態としている。
生体情報測定装置１は、図２〜図７に示すように、センサベース４と、これに装着されるトランスミッタ５とを備えている。センサベース４は、図３に示すように、上面に開口部６を有する円形の外形を有する。この開口部６には、円形のトランスミッタ５が着脱自在に装着される。
【００１３】
また、センサベース４の底面には、図４に示すように、上方の両面テープ７と下方の皮膚テープ８が設けられている。つまり、皮膚テープ８は、両面テープ７によってセンサベース４の底面に接着されている。このため、図１に示すように、人体２にセンサベース４が装着される場合には、皮膚テープ８が人体２に接着される。
そして、人体２に装着されたセンサベース４の開口部６にトランスミッタ５が装着されると、図１における生体情報測定装置１の装着が完了する。
【００１４】
この生体情報測定装置１の装着作業については、下記説明でさらに明らかにしていくが、その前に、センサベース４とトランスミッタ５の構成について説明する。
センサベース４内には、図４、図８に示すように、センサユニット９と電池１０と温度センサ１１とが収納されている。センサユニット９の一部は、センサベース４の底面を貫通し、人体２内に挿入されて血糖値を持続的に測定する。温度センサ１１は、人体２の温度を検出する。そして、トランスミッタ５内の制御部１２では、血糖値の算出時に温度補正がなされる。そして、算出された血糖値は、記憶部１３に記録され、この記録された血糖値は、通信部１４を介して、携帯端末１５に読み出される。
【００１５】
トランスミッタ５は、図５から図７に示すように、円盤状に形成されている。制御部１２、記憶部１３、通信部１４を搭載した基板１６は、トランスミッタ５にモールドされている。基板１６の下面側には、図５に示すように、電極１７が同心円状に複数本配置されている。これらは、トランスミッタ５の下面側に露出した状態となっており、電極１７を介して、図８に示すセンサベース４の電極１８と電気的な接続が行われる。
【００１６】
また、このような電極１７，電極１８間の電気的な接続は、図３、図４に示すように、多極接点１９を介して行われる。つまり、多極接点１９がセンサベース４内に配置される。そして、多極接点１９の上面側に、図８に示すトランスミッタ５の電極１７が接触し、多極接点１９の下面側に、図８に示すセンサベース４の電極１８が接触する。これにより、トランスミッタ５とセンサベース４との電気的な接続状態が完成する。
【００１７】
なお、多極接点１９は、例えば、信越ポリマー株式会社の「シンエツインターコネクター ＣＢ−Ｅタイプ」が用いられる。多極接点１９は、弾性を有すると共に、水平方向に長い長方体形状の絶縁性基体を有している。さらに、絶縁性基体は、センサベース４側とトランスミッタ５側とに貫通し、絶縁性基体によって電気的に絶縁性状態に保持された状態で可撓性を有する複数の電気接続線を有している。電気接続線は、それぞれが絶縁性基体によって電気的に絶縁状態となっているので、互いに接触することはない。
【００１８】
また、電気接続線は、金属線によって形成されているが、極めて細い金属線であるので、それに加わる外力に応じて容易に撓む。
絶縁性基体は、例えば、絶縁性シリコンゴムにより形成され、適度の弾性を有し、且つ、十分な絶縁性を維持した状態で上下に無数に配置した電気接続線を保持している。
なお、センサベース４内において、図３に示すように、電池１０や多極接点１９の外周には、円環状のガスケット２０が配置されている。ガスケット２０の下面側は、センサベース４に当接し、また、ガスケット２０の上面側には、トランスミッタ５の電極１７（図５参照）の外周部分に設けられた環状の当接突起７３が圧接される。これにより、センサベース４内の水密対策が行われる。
【００１９】
トランスミッタ５の外周部には、図５、図６に示すように、円環状の係止部２１が設けられている。係止部２１は、図３に示すように、センサベース４内の３ヶ所に均等（１２０度）に配置された係止爪体２２に係合される。これにより、トランスミッタ５がセンサベース４の開口部６を覆うように装着される。また、トランスミッタ５の下面がガスケット２０の上面に圧接されることで、センサベース４内の水密が確保される。
【００２０】
センサベース４は、図９から図１２に示すように、インサータ２３の下部に保持されている。さらに、このインサータ２３の下部には、センサベース４も覆うようにキャップ２４が装着されている。
この状態で、インサータ２３の下部に設けられた鍔２５に、キャップ２４の上部に設けられたフランジ２６を熱溶着させると、インサータ２３内およびキャップ２４内が密封される。この状態で電子線を照射することで、センサベース４、特に、センサユニット９およびセンサユニット９を人体２内に挿入するためのインサータ２３のガイド針２７（図１１参照）等が滅菌処理される。
【００２１】
なお、キャップ２４内には、図９に示すように、乾燥剤２８も収納されており、乾燥剤２８とセンサベース４との間には、乾燥剤保持部材２９が設けられている。
また、図１１に示すように、センサベース４は、インサータ２３内に保持された状態で配置されている。そのとき、センサベース４のセンサユニット９は、ガイド針２７内に配置されている。
【００２２】
したがって、インサータ２３を用いてセンサベース４が、図１に示すように人体２に装着される時には、使用者は、先ず、インサータ２３からキャップ２４を回してキャップ２４のフランジ２６部分を破断させる。これにより、インサータ２３からキャップ２４が取り外される。その状態で、使用者は、インサータ２３を、センサベース４を装着する場所に移動させ、インサータ２３を人体２に対して押し下げる。すると、ガイド針２７によってセンサユニット９の下部が、人体２内に挿入される。
【００２３】
そして、この押し下げ動作によって、ラックギア３０が下方へと押し下げられると、ピニオンギア３１が時計方向に回転する。これにより、ガイド針２７を保持したラックギア３２が上昇し、センサベース４の人体２への装着が完了する。
この時、ガイド針２７の下部は、インサータ２３内に確実に収納され、下方からその一部が望むことはなく、安全な装着作業が行われる。この装着作業で、図４に示した皮膚テープ８が人体２に押圧される。これにより、センサベース４は、人体２と確実に装着される。
【００２４】
次に、このように人体２に装着されたセンサベース４に対して、図１３〜図１６に示すように、トランスミッタ５を装着する。
具体的には、図１３に示すように、トランスミッタ５を指で摘まんでセンサベース４の開口部６に当接させる。次に、図１４〜図１６に示すように、指でトランスミッタ５をセンサベース４側に押し込めば、簡単に、トランスミッタ５をセンサベース４に装着することができる。そのような作業を容易に行わせるために、図１７〜図２９に示す工夫を行っている。
【００２５】
先ず、係止爪体２２は、図１７に示すように、センサベース４のガスケット２０の外周部分において等間隔で３ヶ所に配置されている。各係止爪体２２は、左右方向に２つの係止爪３３を有している。しかも、この係止爪３３の下方には、図１８に示すように、開孔３４が配置されている。このため、左右の係止爪３３は、トランスミッタ５の係止部２１（図１９参照）に押された際には、外周方向に弾性で変位し、その後、内周方向へと容易に変位する。もちろん、開孔３４は、ガスケット２０の外周方向に位置し、ガスケット２０の内方に存在する各部品への水密対策が阻害されることはない。
【００２６】
図２０〜図２８は、このようにトランスミッタ５をセンサベース４に装着する作業を示しており、図２０、図２１のＡ−Ａでの断面図が、図２２〜図２４である。
先ず、図２２に示すように、センサベース４の開口部６にトランスミッタ５が当接した状態から、図２５に示すように、使用者がトランスミッタ５の外周の一部（例えば、図２６のＡ点）を押すと、図２６のＡ点では、図２３に示すように、トランスミッタ５の外周が下方に滑り落ち、トランスミッタ５の係止部２１がセンサベース４の係止爪３３に係合する。
【００２７】
その時、図２６に示すＢ点、Ｃ点に存在する係止爪体２２でＡ点に近い側の係止爪３３には、トランスミッタ５の係止部２１が乗りかかっている。この状態でさらに力を加えると、Ｂ点、Ｃ点の係止爪３３が外方に変位させられる。これにより、トランスミッタ５は、さらに下方へと進行し、次に、Ｂ点、Ｃ点の係止爪３３よりも遠方側の係止爪３３も外方へと変位する。その結果、図２３〜図２４に示すように、トランスミッタ５は、センサベース４内に簡単に装着される。
【００２８】
図２７、図２８は、トランスミッタ５をセンサベース４の開口部６に図２６とは異なる位置に置いた図である。トランスミッタ５がセンサベース４の開口部６のどの部分に置かれたとしても、使用者がトランスミッタ５を押し込めば、押し込んだ部分（図２７のＡ部分、図２８のＡ部分）においては、トランスミッタ５が係止爪３３の前方側へと滑るように移動し、係止爪３３の下方へと移動する。そして、３ヶ所に設けられた係止爪体２２の内で２ヶ所（Ｂ点、Ｃ点）の係止爪３３に、トランスミッタ５の係止部２１が乗りかかっている。この状態でさらに力を加えると、Ｂ点、Ｃ点の係止爪３３が外方に変位させられ、容易にトランスミッタ５のセンサベース４への装着作業が行われる。
【００２９】
つまり、各係止爪体２２は、複数個の係止爪３３を有しているが、トランスミッタ５の押し下げ時には、２ヶ所（Ｂ点、Ｃ点）の係止爪３３にトランスミッタ５の係止部２１が乗りかかっている。そして、乗りかかった状態の係止爪３３から１つずつ、係止爪３３の外方への変位が行われる。このため、小さな力で係止爪体２２を外方へと変位させてトランスミッタ５のセンサベース４への装着作業が行われる。
【００３０】
この装着作業は小さな力でスムーズにトランスミッタ５をセンサベース４に装着できるので、つまり、トランスミッタ５がセンサベース４に勢いよく装着される。このため、係止爪３３がトランスミッタ５の係止部２１に当たり、パチッと当接音が発せられる。使用者は、この音でトランスミッタ５の装着完了を確認することができる。
しかも、この装着作業が完了した時には、３ヶ所に設けられた係止爪体２２の複数の係止爪３３でトランスミッタ５は、センサベース４に保持され、この保持状態が確実に維持される。また、図２９に示すように、トランスミッタ５の下端部がガスケット２０の頂部に押し当てられるので、ガスケット２０による水密構成も確実に維持される。
【００３１】
図３０から図３３は、センサベース４の人体２への装着部分について説明したものである。
センサベース４の下面には、上述のように、両面テープ７と皮膚テープ８とが設けられている。本実施形態では、これら２枚が接着層となっている。本実施形態においては、両面テープ７の上下面には接着面が形成され、また、皮膚テープ８は下面のみ接着面が形成されている。
【００３２】
また、図３１〜図３２に示すように、皮膚テープ８の外形は、センサベース４の外形よりも小さい。さらに、両面テープ７は、皮膚テープ８の外形よりも小さくなっている。つまり、皮膚テープ８の上面で両面テープ７の外周部分には、センサベース４に対する非接着面８ａが設けられている。そして、非接着面８ａは、図３１に示すように、センサベース４の下面の外周部分に対向配置されている。
【００３３】
このため、センサベース４を人体２から取り外す場合に、図３３に示すように、センサベース４の外周部分の人体２を押し下げれば、皮膚テープ８とセンサベース４の間に隙間３５が形成される。そして、この隙間３５に指３６の爪３７を差し込めば、そこを起点としてセンサベース４を人体２から極めて容易に引き剥がすことができる。
このようなセンサベース４の引き剥がし作業を行わない場合には、皮膚テープ８の外周は、センサベース４の外周内に位置し、露出していない。よって、日常作業時に不用意に皮膚テープ８が剥がされることもなく、通常状態では、センサベース４は人体２に皮膚テープ８と両面テープ７によって確実に装着される。
【００３４】
次に、人体２から取り外したセンサベース４からトランスミッタ５を引き剥がす作業について、図３４〜図３９を用いて説明する。
先ず、センサベース４において、開口部６の開口縁の一部には、これらの図に示すように、取り外し凹部３８が設けられている。
本実施形態において特徴的な点は、図３８に示すように、この取り外し凹部３８が左右の係止爪体２２間に設けられ、これら左右の係止爪体２２が有する左右の係止爪３３のうち、取り外し凹部３８側のものは、図３６、図３７に示すように、トランスミッタ５の係止部２１への係合量を減少させる傾斜面３９が設けられている。
【００３５】
係止爪３３の傾斜面３９は、取り外し凹部３８側が上方となる傾斜が設けられているので、係止爪３３によるトランスミッタ５の係止部２１への係合量が減少する。
このため、図３４、図３５に示すように、取り外し凹部３８において、指３６でトランスミッタ５を持ち上げれば、係合量の少ない係止爪３３を外方へと変位させながら、容易にトランスミッタ５をセンサベース４から取り外すことができる。この時、図３９に示すように、取り外し凹部３８の対向側には、１つの係止爪体２２が存在しており、ここを係止点としてトランスミッタ５を取り外して、取り外し凹部３８側を持ち上げることができるため、操作性を向上させることができる。
【００３６】
つまり、本実施形態では、使用済みのセンサベース４からトランスミッタ５が取り外され、このトランスミッタ５が再利用される。トランスミッタ５には、電池１０が設けられておらず、電池１０はセンサベース４内に設けられている。よって、センサベース４が新しいものへ交換されれば、トランスミッタ５の各部は、そこに配置された電池１０によって確実に動作する。
【００３７】
次に、センサベース４内における電池１０やセンサユニット９などの配置について、図４０〜図６０を用いて説明する。
上述のように、センサユニット９、電池１０、多極接点１９などは、ガスケット２０内に配置されている。
電池１０とセンサユニット９は、図４１の配線基板４０を用いて接続される。また、図４６、図４７に示すように、配線基板４０の電極１８に多極接点１９の下部を当接させることで、図８に示す電気的な接続状態が構成される。
【００３８】
具体的に説明すると、図４３〜図４７に示すように、電池１０は、配線基板４０の上部に、例えば、Ｙ軸方向（一軸方向）に２個配置され、配線基板４０を用いて直列接続される。
つまり、一方の電池１０のマイナス極は、配線基板４０に導電性テープ４０ａ（図４６参照）で接続され、他方の電池１０のプラス極は、配線基板４０に導電性テープ４０ｂ（図４６参照）で接続される。その状態で、図４４に示すように、配線基板４０の折り返しパターン４１で、一方のプラス極と他方のマイナス極とが、直列接続される。
【００３９】
これにより、２個の電池１０は直列接続される。この状態で、センサユニット９と多極接点１９とは、２個の電池１０の間で直交するＸ軸方向（一軸方向に直交する方向）に配置され、配線基板４０に電気的に接続される。
センサユニット９は、図４８、図４９に示すように、縦方向の板状体であって、センサベース４の配線基板４０に接続される上方の接続部４２と、この接続部４２から側方に延長され、その後、下方に延長された人体２への挿入部４３とを有している。挿入部４３には、接続部４２から側方への延長部分に、熱伝達抑制凹部４４が設けられている。
【００４０】
接続部４２には、一面側に一つの電極４５、そして、他面側に、図５２に示すように、二つの電極４６、４７が配置されている。また、配線基板４０には、図４７に示すように、センサユニット９の電極４５〜４７に対応して、電極（配線基板４０におけるセンサユニット９への接続部の一例）４８〜５０が設けられている。
さらに、センサベース４には、図５３、図５４に示すように、スリット状の開口部５１が設けられている。よって、これらの図に示すように、センサユニット９が開口部５１からセンサベース４内へ挿入されると、図５６〜図５８に示すように、センサユニット９の電極４５と配線基板４０の電極４８とが対応する。また、センサユニット９の電極４６と配線基板４０の電極４９、センサユニット９の電極４７と配線基板４０の電極５０とに対応する。
【００４１】
その状態では、図５８に示すように、配線基板４０の電極４８〜５０に対して、センサユニット９の電極４５〜４７は、上方に直交した状態で配置される。したがって、各電極部分において、図５８に示すように、紫外線硬化型の導電性接着剤５２が塗布され、次の工程で、他の部分も含め、一括紫外線照射によって固化させる。
また、図４７に示すように、配線基板４０における電極４９と電極５０との間には、隙間５３が形成されている。また、電極４８と電極５０との間にも、隙間５４が形成されている。さらに、電極４９と電極４８との部分には、くぼみ５５が形成されている。
【００４２】
そして、センサベース４には、図５７に示すように、隙間５３には突起５６が挿入され、隙間５４には突起５７が挿入され、くぼみ５５部分には突起５８が挿入される。
これにより、配線基板４０の電極４８〜５０の配置位置を安定化させると共に、導電性接着剤５２が隣の電極へと不用意に移動することを防止する。
配線基板４０の折り返しパターン４１は、紫外線硬化型の導電性接着剤５２によって、図４４に示すように、２つの電池１０に接続されている。
【００４３】
ここで重要なことは、紫外線照射によって固化する導電性接着剤５２が、図４３、図５９に示すように、電池１０の導電性接着剤５２部分とセンサユニット９の導電性接着剤５２部分で直交する部分に配置され、平面視において所定間隔離して配置されていることである。
つまり、紫外線照射時に、平面視の状態で各導電性接着剤５２部分に重なりが存在すると、紫外線照射による導電性接着剤５２の固化が適切に行われない。よって、本実施形態では、上述した電池１０とセンサユニット９の導電性接着剤５２部分とが、平面視において所定間隔離して配置されている。
【００４４】
また、上述したように、水密状態を維持するためのガスケット２０は、これら電池１０やセンサユニット９の外方に配置されている。そして、ガスケット２０も、電池１０やセンサユニット９とは重ならない。
つまり、ガスケット２０も、紫外線硬化型の樹脂５９によって形成されている。このため、一度の紫外線照射によって、ガスケット２０の完成、および電池１０やセンサユニット９の電気的接続が行われる。
【００４５】
また、図５３〜図５５に示すように、センサベース４には、センサユニット９を下方から挿入するためのスリット状の開口部５１が設けられている。ここにも、図５５に示すように、紫外線硬化型の樹脂５９が塗布される。そして、上記ガスケット２０の完成、電池１０やセンサユニット９の電気的接続が行われるための紫外線照射時に、センサベース４の下方からも紫外線が照射される。これにより、この樹脂５９を固化させ、開口部５１部分の封止が行われる。
【００４６】
なお、センサユニット９の挿入部４３は、図１１の状態では、図４９に示すようにガイド針２７内に配置されている。つまり、ガイド針２７は、センサユニット９側が開口した断面Ｕの字状となっている。このため、この開口からセンサユニット９の挿入部４３がガイド針２７内に配置される。センサユニット９の挿入部４３は、人体２に挿入され血糖値を検出する極めてデリケートなものであり、ガイド針２７に保護された状態で人体２へと挿入される。このため、ガイド針２７の挿入時に、ガイド針２７からセンサユニット９側に外れないようにするために、挿入部４３で下方への延長部は、上方よりも下方を接続部４２とは反対側に傾斜している。
【００４７】
これにより、センサユニット９の挿入部４３は、ガイド針２７に適切に保護された状態となるので、ガイド針２７と共に人体２にスムーズに挿入させることができる。
なお、センサユニット９の挿入部４３とガイド針２７との当接面積が大きすぎると、ガイド針２７を人体２外へと引き抜くときに、ガイド針２７によってセンサユニット９の挿入部４３部分を擦りつけることによるセンサユニット９の損傷が発生するおそれがある。
【００４８】
つまり、センサユニット９の挿入部４３は、その外周が保護膜で覆われているため、保護膜が損傷することを防止する必要がある。
そこで、図５０、図５１に示すように、センサユニット９の挿入部４３の下方部分で、接続部４２とは反対側の部分に、接続部４２とは反対側に突出する突起６０が設けられていることが好ましい。つまり、このように突起６０が設けられていることで、ガイド針２７に対して当接するのは突起６０部分であって、突起６０部分は、保護対象外部分である。よって、ここがガイド針２７の引き抜き作業時にガイド針２７に擦れても何の問題も発生しない。
【００４９】
以上の構成において、本実施形態における主な特徴点について説明する。
＜特徴点１＞
以上のように、本実施形態の生体情報測定装置１は、上面に開口部６を有し内部にセンサユニット９を収納したセンサベース４と、センサベース４の開口部６に装着され、センサユニット９に接続される制御部１２、制御部１２に接続された通信部１４および記憶部１３を有するトランスミッタ５と、を備えている。トランスミッタ５には、センサユニット９側の面の外周部分に円環状の係止部２１が配置されている。センサベース４の開口部６には、係止部２１が係止される複数の係止爪体２２が所定間隔で配置されている。
【００５０】
これにより、センサベース４に対するトランスミッタ５の装着作業が極めて容易になる。
すなわち、本実施形態においては、トランスミッタ５のセンサユニット９側の面の外周部分に円環状の係止部２１が配置されている。このため、トランスミッタ５を摘まんでセンサベース４に合致させれば、センサベース４の係止爪体２２にトランスミッタ５の係止部２１が確実に合致した状態を容易に作り出すことができる。そして、この状態でトランスミッタ５をセンサベース４に押し込めば、センサベース４の係止爪体２２にトランスミッタ５の係止部２１が確実に係合し、容易にトランスミッタ５の装着作業を完了することができる。
【００５１】
＜特徴点２＞
また、本実施形態の生体情報測定装置１は、上面に開口部６を有すると共に、内部にセンサユニット９を収納したセンサベース４と、センサベース４の開口部６に装着されると共に、センサユニット９に接続される制御部１２、制御部１２に接続された通信部１４および記憶部１３を有するトランスミッタ５と、を備えている。トランスミッタ５の、センサユニット９側の面の外周部分には、円環状の係止部２１が配置されている。センサベース４の開口部６には、係止部２１が係止される複数の係止爪体２２が、所定間隔で配置されている。これら複数の係止爪体２２間における開口部６の開口縁には、トランスミッタ５とは反対側に凹んだ取り外し凹部３８が形成されている。これにより、トランスミッタ５の取り外し作業を容易に行うことができる。
【００５２】
すなわち、本実施形態においては、センサベース４の開口部６に所定間隔で複数の係止爪体２２が配置されている。また、トランスミッタ５の外周部には、円環状の係止部２１が配置されている。よって、トランスミッタ５は、センサベース４の開口部６に複数の係止爪体２２部分で、複数点で係合される。このため、センサベース４の開口部６において、係止爪体２２間部分に形成した取り外し凹部３８に、例えば、指３６をかければ、その部分からトランスミッタ５をセンサベース４の開口部６上に容易に取り外すことができる。
【００５３】
つまり、指３６をかけた部分においては、トランスミッタ５の係止部２１は、センサベース４の係止爪体２２に係止されていない部分である。よって、この部分からトランスミッタ５をセンサベース４上に引き上げるのは極めて容易に行うことができる。しかも、トランスミッタ５が持ち上がっていく状態においては、センサベース４の係止爪体２２に係止されていたトランスミッタ５の係止部２１も斜めに持ち上げられた状態が形成されている。この状態においては、係止爪体２２によるトランスミッタ５の係止部２１に対する係止力も小さくなる。この結果として、例えば、わずか一本の指３６による持ち上げで、トランスミッタ５をセンサベース４から容易に取り外すことができる。
【００５４】
＜特徴点３＞
さらに、本実施形態では、センサベース４の人体２への装着面に、センサベース４を人体２に装着するための接着層（両面テープ７および皮膚テープ８）が設けられている。そして、この接着層の外形は、センサベース４の外形よりも小さく、接着層の外周部分におけるセンサベース４側の面には、非接着面８ａが設けられている。これにより、センサベース４が人体２に対して安定した状態で保持される。
【００５５】
すなわち、本実施形態においては、センサベース４を人体２に装着するための接着層が、センサベース４の外形よりも小さい。このため、接着層の外周部に剥がれ現象が発生しにくく、その結果、接着層によって、センサベース４は人体２に対して安定した状態で保持される。
また、本実施形態においては、この接着層の外周部分で、センサベース４側の面には、非接着面８ａが設けられている。このため、センサベース４を人体２から引き剥がす時には、接着層の外周部分でセンサベース４側の非接着面８ａ部分に引き剥がし用の隙間３５を作ることができる。その結果、センサベース４を人体２から容易に引き剥がすこともできる。
【００５６】
＜特徴点４＞
さらに本実施形態のセンサユニット９は、センサベース４に装着されるセンサユニット９は、縦方向の板状体で、上方の接続部４２と、この接続部４２から側方に延長され、かつ下方に延長された人体２への挿入部４３と、を有している。挿入部４３における接続部４２から側方への延長部分には、熱伝達抑制凹部４４が設けられている。これにより、血糖値の算出が適切に行われる。
【００５７】
すなわち、本実施形態のセンサユニット９は、縦方向の板状体で、上方の接続部４２と、この接続部４２から側方に延長され、かつ下方に延長された人体２への挿入部４３とを有している。そして、挿入部４３における接続部４２から側方への延長部分に、熱伝達抑制凹部４４が設けられている。よって、まずは、接続部４２に与えられる熱は、次の側方への延長部に形成された熱伝達抑制凹部４４によって下方の挿入部４３へと伝達されにくくなる。その結果、挿入部４３において、適切な血糖値の検出が行われるため、制御部１２において適切な血糖値の算出が行われる。
【００５８】
＜特徴点５＞
また、本実施形態は、センサユニット９が、上面に開口部６を有するセンサベース４内に収納されると共に、センサベース４内に電池１０が収納されている。また、センサベース４の開口部６には、トランスミッタ５が装着されている。そして、このトランスミッタ５には、制御部１２、通信部１４、記憶部１３が収納されている。つまり、電池１０がセンサユニット９と共にセンサベース４に収納されることで、電池１０として長寿命品を使用することができる。また、制御部１２、通信部１４、記憶部１３を収納したトランスミッタ５は、繰り返して使用されることで、使用者の経済的負担が軽減される。
【００５９】
また、センサベース４とトランスミッタ５との間の水密状態を維持するために設けられた環状のガスケット２０が、紫外線硬化型の樹脂５９で形成されている。さらに、センサユニット９の接続部４２と配線基板４０との接続、および電池１０と配線基板４０との接続は、紫外線硬化型の導電性接着剤５２によって行われる。そして、ガスケット２０と導電性接着剤５２の部分とは、センサベース４の平面視において、所定間隔離して配置されている。これにより、一度の紫外線照射作業でこれらの構成が完成状態となるため、製造工程が簡素化され、この点からも使用者の経済的負担を抑制することができる。
【００６０】
＜特徴点６＞
また、本実施形態では、図９〜図１１に示すように、インサータ２３は、上下面が開口した筒状の下ケース６１と、下ケース６１の外周に上方から被せられ下ケース６１に対して上方から下方に押し下げ可能な上ケース６２と、を備えている。下ケース６１内には、センサユニット９を保持したセンサベース４が配置されている。また、下ケース６１内におけるセンサベース４上には、ガイド針２７を保持した針ホルダ６３が上下動自在に配置されている。
【００６１】
上ケース６２は、下面側に開口部６２ａを有し上面が閉じられた円筒形状とし、上ケース６２の開口部６２ａから露出した下ケース６１の下部部分が、上面に開口部２４ａを有し下面が閉じられた円筒状のキャップ２４で覆われている。さらに、キャップ２４の上面開口部と上ケース６２の下面開口部との間には、封止機構が設けられている。
つまり、本実施形態では、上ケース６２の下面側の開口部６２ａの外周に設けられた鍔２５と、キャップ２４の上面側の開口部２４ａの外周に設けられたフランジ２６とによって、封止機構が構成されている。また、上ケース６２とキャップ２４とが、それぞれ熱溶融性の合成樹脂によって形成されている。そして、鍔２５とキャップ２４とフランジ２６とを熱溶着させると、インサータ２３内およびキャップ２４内が密封される。この状態で電子線が照射されることで、センサベース４、特に、センサユニット９およびセンサユニット９を、人体２内に挿入するためのインサータ２３のガイド針２７（図１１参照）等が、滅菌処理される。
【００６２】
なお、キャップ２４内には、下ケース６１よりも下方に乾燥剤２８が収納させられており、乾燥剤２８とセンサベース４との間には、乾燥剤保持部材２９が設けられている。
また、図１１に示すように、センサベース４は、インサータ２３内に保持された状態で配置されている。そのとき、センサベース４のセンサユニット９は、ガイド針２７内に配置されている。したがって、インサータ２３を用いてセンサベース４が図１に示すように人体２に装着される時には、使用者は、先ず、インサータ２３からキャップ２４を回してキャップ２４のフランジ２６部分を破断（封止を開放）させる。これにより、インサータ２３からキャップ２４が取り外される。その状態で、使用者は、インサータ２３を、センサベース４を装着する場所に移動させ、インサータ２３を人体２に対して押し下げる。これにより、ガイド針２７によってセンサユニット９の下部が、人体２内に挿入される。
【００６３】
そして、この押し下げ動作により、ラックギア３０が下方へと押し下げられると、ピニオンギア３１が時計方向に回転する。これにより、ガイド針２７を保持したラックギア３２が上昇し、センサベース４の人体２への装着が完了する。
この時、ガイド針２７の下部は、インサータ２３内に確実に収納され、下方からその一部が望むことはなく、安全な装着作業が行われる。この装着作業で、図４に示した皮膚テープ８が人体２に押圧される。これにより、センサベース４は、人体２と確実に装着される。
【００６４】
このように本実施形態では、使用時に、封止機構の開放作業を行うと共にキャップ２４が取り外される。そして、上ケース６２を持って、それを人体２側に押しつければ、下ケース６１内のセンサベース４が人体２側に押しつけられると共に、センサユニット９が針ホルダ６３で人体２内に挿入される。これにより、人体２への装着作業が完了する。
つまり、キャップ２４を外せば、後は上ケース６２を人体２側に押しつける作業だけで人体２への装着作業を行うことができるため、作業性を向上させることができる。
【００６５】
なお、鍔２５は、図１２に示すように、上ケース６２の下面側の開口部６２ａの外周で、この下面側の開口部６２ａよりも上方に設けられている。なぜなら、センサユニット９の人体２への挿入およびセンサベース４の人体２への装着時には、下ケース６１は、上ケース６２内に押し込まれた状態となり、上ケース６２の下面側の開口部６２ａが人体２に当接するため、鍔２５は、上述のように、上ケース６２の下面側の開口部６２ａ外周において、下面側の開口部６２ａよりも上方に設けられている。
【００６６】
このため、鍔２５が人体２に当接し、センサユニット９の挿入やセンサベース４の装着を阻害することはない。
なお、封止機構は、図７１に示すように、上ケース６２の下面側の開口部６２ａとキャップ２４の上面側の開口部２４ａとの間に設けたＯリング（ガスケットの一例）９２によって構成されていてもよい。
【００６７】
具体的には、上ケース６２の開口部６２ａの開口縁と、キャップ２４の開口部２４ａの開口縁との間に、Ｏリング９２が介在している。そして、上ケース６２の開口部６２ａに対応する外周側部分には、外方に向けて突出する２個の突起６２ｂが、外周に沿って１８０度の間隔で設けられている。この突起６２ｂに係合させるため、キャップ２４の開口部２４ａの内面側部分には、突起６２ｂと螺合結合する螺旋状の係合部２４ｂが設けられている。
このため、上ケース６２の突起６２ｂにキャップ２４の係合部２４ｂが螺合されれると、上ケース６２とキャップ２４との間に介在するＯリング９２によって、上ケース６２内とキャップ２４内の気密が保持される。
【００６８】
＜特徴点７＞
また、本実施形態の生体情報測定装置１は、図４６から図６０に示すように、センサベース４と、センサユニット９とを備えている。センサユニット９は、センサベース４に取り付けられると共に、人体２への挿入部４３がセンサベース４の下方に延長され、その接続用の電極４５〜電極４７がセンサベース４の上面側に配置されている。また、センサベース４の上面側には、配線基板４０が配置されている。配線基板４０は、センサユニット９の電極４５〜電極４７が導電性接着剤５２によって電気的に接続された電極４８〜電極５０を有している。
【００６９】
本実施形態において特徴的な点は、センサユニット９の電極４５〜電極４７部分は、センサベース４に対して垂直方向に立ち上げられ、配線基板４０の電極４８〜電極５０部分は、センサベース４に対して水平方向に配置されている点である。
本実施形態では、センサユニット９の電極４５〜電極４７部分と、配線基板４０の電極４８〜電極５０部分とが、導電性接着剤５２によって直付けされているため、装置を小型化することができる。
【００７０】
つまり、センサユニット９の電極４５〜電極４７がセンサベース４に対して水平方向に配置され、また、配線基板４０の電極４８〜電極５０もセンサベース４に対して水平方向に配置された場合には、センサベース４において、電極４５〜電極５０が占める平面面積が広くなって、装置の小型化が難しくなる。
これに対して、センサユニット９の電極４５〜電極４７は、センサベース４に対して垂直方向に立ち上げられているので、電極４５〜電極５０が占める平面面積が小さくなり、装置の小型化が達成される。
【００７１】
また、このように直交状態にある電極４５〜電極４７と、電極４８〜電極５０との部分に導電性接着剤５２を塗布する作業は、極めて簡単に行うことができる。
なお、本実施形態においては、センサユニット９の一面側に、図５２に示すように、複数の電極４６、電極４７が所定間隔離して配置されている。これに合わせて、配線基板４０の電極４９、電極５０も所定間隔離して配置されている。これにより、電極４６、電極４７間が導電性接着剤５２で不用意に短絡することを防止することができる。
【００７２】
さらに、本実施形態においては、短絡防止のため、センサベース４において、配線基板４０の電極４９と電極５０との間には、垂直方向に突出する突起５６が配置されている。つまり、この突起５６によって、電極４６と電極４７との間が、導電性接着剤５２で不用意に短絡することを防止することができる。
このような、構成を取るために、本実施形態におけるセンサユニット９は、縦方向の板状体で、配線基板４０の電極４８〜電極５０に接続される電極４５〜電極４７が配置された上方の接続部４２と、接続部４２から側方に延長され、かつ下方に延長された人体２への挿入部４３とを有する。
【００７３】
なお、センサユニット９において、電極４５〜電極４７は金メッキされているが、金は、導電性接着剤５２に対しては難接着材料である。
そこで、導電性接着剤５２と電極４５〜電極４７とを確実に接着するために、接続部４２が、導電性接着剤５２が接着し易い材料で形成され、図７２に示すように、導電性接着剤５２が、電極４５と、電極４５が設けられた接続部４２（絶縁部位の一例）とに跨がって配置されていてもよい。図７２では、導電性接着剤５２は、電極４５を覆い隠すように配置されている。
【００７４】
なお、電極４６と同様に、導電性接着剤５２は、電極４６および電極４７と、電極４６および電極４７が設けられた接続部４２（絶縁部位の一例）とに跨がって配置されている。
この構成によれば、導電性接着剤５２は、電極４５〜電極４７を覆った状態で、接着しやすい接続部４２に接着される。このため、導電性接着剤５２と電極４５〜電極４７との接着も安定する。
【００７５】
また、配線基板４０においても、配線基板４０が、導電性接着剤５２が接着し易い材料で形成され、導電性接着剤５２が、電極４８〜電極５０と、電極４８〜電極５０が設けられた配線基板４０（絶縁部位の一例）とに跨がって配置される構成であってもよい。図７２では、導電性接着剤５２は、電極４８を覆い隠すように配置されている。
この構成によれば、導電性接着剤５２は、電極４８〜電極５０を覆った状態で接着しやすい配線基板４０に接着される。このため、導電性接着剤５２と電極４８〜電極５０との接着も安定する。
【００７６】
＜特徴点８＞
また、本実施形態におけるセンサユニット９は、図４８〜図５２に示すように、縦方向の板状体で、上方の接続部４２と、この接続部４２の下部から側方に延長され、その後、下方に延長された人体２への挿入部４３とを有している。
また、センサベース４は、図５３から図５７に示すように、センサユニット９の接続部４２が下方から上方へ挿入される開口部５１を有する。開口部５１には、図６１〜図６３に示すように、センサユニット９の接続部４２で側方への延長部６４側の縦辺６５（図６２参照）、が当接する位置決め部６６が設けられている。なお、挿入部４３の内、水平方向に延びている部分について理解を深めるために、この部分に、特に、延長部６４と符号を付している。
【００７７】
センサベース４の下面における開口部５１の外周側には、図６２に示すように、センサユニット９の延長部６４の上辺６９が当接する位置決め部６７が設けられている。センサベース４の下面で位置決め部６７よりも外周側には、センサユニット９の延長部６４における一面に当接する位置決め部６８が設けられている。
本実施形態においては、センサユニット９の接続部４２は、センサベース４の開口部５１に下方から上方に向けて挿入され、この時点で、センサユニット９の挿入部４３がセンサベース４に当接しない。このため、センサユニット９、特に、挿入部４３の損傷を抑制することができる。
【００７８】
さらに、センサベース４にセンサユニット９が取り付けられた状態においては、センサベース４の開口部５１には、センサユニット９の接続部４２で側方への延長部６４側の縦辺６５が当接する位置決め部６６が設けられている。センサベース４の下面における開口部５１の外周側には、センサユニット９の延長部６４の上辺６９が当接する位置決め部６７が設けられている。センサベース４の下面における位置決め部６７よりも外周側には、センサユニット９の延長部６４における一面に当接する位置決め部６８が設けられている。
【００７９】
このため、センサベース４に対してセンサユニット９は適切な取付位置が保たれる。その結果、センサユニット９がガイド針２７にガイドされて人体２に挿入される際に、ガイド針２７によって損傷を受けることを抑制することができる。
なお、図５３〜図５５および図５９〜図６３において、ガイド針２７がセンサベース４を貫通して人体２へと挿入されるための挿入孔７０が設けられている。
【００８０】
また、図６３に示すように、センサベース４の開口部５１の開口縁には、センサユニット９の接続部４２に当接し、センサユニット９の延長部６４を位置決め部６８側に付勢する突起５６が設けられている。
具体的には、突起５７と突起５８の間に、突起５６をわずかに突入させることで、センサユニット９の延長部６４の人体２への挿入部４３側が、位置決め部６８側に付勢されている。このため、センサユニット９の挿入部４３は、位置決め部６８に当接し、挿入孔７０内で所定の位置に配置される。
さらに、本実施形態においては、短絡防止のため、センサベース４において、配線基板４０の電極４９と電極５０との間には、垂直方向に突出する突起５６が配置されている。つまり、突起５６によって、電極４６と電極４７との間が導電性接着剤５２で不用意に短絡することを防止することができる。
【００８１】
＜特徴点９＞
以上のように、本実施形態におけるセンサユニット９は、図４８〜図５２に示すように、縦方向の板状体で、上方の接続部４２と、接続部４２の下部から側方に延長された延長部６４と、延長部６４から下方に延長された人体２への挿入部４３とを備えている。また、センサベース４の水密エリア７１に対応する部分には、センサユニット９を下方から上方へと挿入する開口部５１が設けられている。
【００８２】
水密エリア７１について説明すると、本実施形態においては、図１９〜図２４に示すように、センサベース４の上面に形成された環状のガスケット２０で囲まれた内方エリアが、水密エリア７１となっている。より具体的には、水密エリア７１は、図２４に示すように、下面がセンサベース４、外周がガスケット２０、上面がトランスミッタ５で覆われたエリアとなっている。
【００８３】
すなわち、図２１に示すように、センサベース４上には、電池１０、多極接点１９、配線基板４０等が配置され、その外周をガスケット２０が覆っている。そして、図２４に示すように、センサベース４の人体２への装着後、トランスミッタ５がガスケット２０上に配置された状態で、水密エリア７１が構成される。つまり、水密エリア７１内に液状物質が浸入すると、各部品や電気的接続状態が劣化するので、それを保護するためのエリアが設けられている。
【００８４】
さらに、図６１〜図６２に示すように、開口部５１には、センサユニット９の接続部４２、延長部６４の位置決め部６６および位置決め部６７が設けられている。センサベース４の水密エリア７１外には、ガイド針２７の挿入孔７０が設けられている。
さらに、図６２に示すように、センサユニット９の接続部４２と、延長部６４の一部とが、開口部５１に配置されている。センサユニット９の挿入部４３は、ガイド針２７の挿入孔７０部分に配置されている。センサベース４の開口部５１には、図６０に示すように、開口部５１の下方から開口部５１内に充填され、開口部５１を覆うと共に、センサユニット９の接続部４２と延長部６４との少なくとも一部を覆った樹脂５９（封止材の一例）が設けられている。
【００８５】
このため、センサベース４上における水密エリア７１への液状物質の浸入を抑制することができる。
すなわち、縦方向の板状体で形成されたセンサユニット９が、センサベース４の開口部５１に対して下方から上方へと挿入された後、開口部５１には、樹脂５９が配置される。
開口部５１は、センサベース４における水密エリア７１に対応する部分であるが、開口部５１に樹脂５９が配置されていることで、水密エリア７１への液状物質の浸入を抑制することができる。しかも、樹脂５９の開口部５１への配置によって、センサユニット９の接続部４２と、延長部６４の一部とは、センサベース４の開口部５１部分の適切な位置に固定される。その結果、センサユニット９の挿入部４３もセンサユニット９におけるガイド針２７の挿入孔７０部分に適切に配置される。これにより、ガイド針２７によってセンサユニット９の挿入部４３は、人体２へと適切にガイド挿入される。
【００８６】
なお、ガイド針２７の挿入孔７０部分は、センサベース４における水密エリア７１外である。よって、センサベース４の水密エリア７１内への液状物質の浸入が発生することはない。
本実施形態においては、さらに、図５２および図５３に示すように、センサユニット９の接続部４２の下部には、上方側への切欠部７２が設けられている。このため、開口部５１に樹脂５９が配置される時に、板状のセンサユニット９の接続部４２の両側に樹脂５９が行き渡る。これにより、開口部５１における水密対策を行いやすくすることができる。
なお、センサユニット９は、図４８、図４９に示すように、レーザ加工によって切り出しされており、折り曲げ部が無い板状体に形成されている。つまり、折り曲げ部を設けない構成により、センサユニット９上に配置された配線（図示せず）に対して、その導通不良を抑制することができる。
【００８７】
＜特徴点１０＞
また、本実施形態においては、図１９〜図２４に示すように、センサベース４の上面には、紫外線硬化型樹脂によって環状のガスケット２０が形成され、この環状のガスケット２０で囲まれた内方エリアが水密エリア７１となっている。そして、センサベース４上の水密エリア７１内には、電池１０と、配線基板４０と、多極接点１９と、温度センサ１１等が配置されている。
【００８８】
また、センサベース４の上面における水密エリア７１内においては、センサユニット９の接続部４２と配線基板４０とが、紫外線硬化型の導電性接着剤５２によって接続されている。具体的には、図５７に示すように、配線基板４０の電極４８〜電極５０に、センサユニット９の電極４５〜電極４７が、紫外線硬化型の導電性接着剤５２によって接続されている。
【００８９】
また、センサベース４の上面側には、図１９〜図２０に示すように、トランスミッタ５が配置される。
トランスミッタ５におけるセンサベース４の水密エリア７１に対応する部分には、図５に示すように、多極接点１９を介して、配線基板４０に接続される電極１７が配置されている。電極１７には、図８に示すように、制御部１２が接続されている。制御部１２には、通信部１４および記憶部１３が接続されている。
【００９０】
なお、トランスミッタ５は、その下面側に電極１７が露出しているだけで、制御部１２、通信部１４、記憶部１３は、樹脂によってモールドされた状態となっている。つまり、トランスミッタ５にとっては、電極１７部分だけ液状物質や埃などから保護することが必要である。
このように、本実施形態においては、センサベース４上において、センサユニット９の接続部４２と配線基板４０との電気的接続が、紫外線硬化型の導電性接着剤５２によって行われている。また、センサベース４上において、配線基板４０や電池１０等が実装されたエリアを水密エリア７１とするための紫外線硬化型樹脂によって形成された環状のガスケット２０が配置されている。
【００９１】
つまり、使用者がセンサユニット９をセンサベース４上に取り付ける作業が不要となり、しかも、センサユニット９の接続部４２は、配線基板４０に紫外線硬化型の導電性接着剤５２によって接続されている。これにより、この部分における電気的な接続状態は、極めて安定化される。
また、センサベース４の上面には、紫外線硬化型樹脂によって形成された環状のガスケット２０が配置されている。ガスケット２０による水密エリア７１に対応するトランスミッタ５には、配線基板４０と接続を行うための電極１７が配置されている。電極１７には、制御部１２が接続される。制御部１２には、通信部１４および記憶部１３が接続されている。よって、センサベース４とトランスミッタ５との間の電気的な接続状態も安定化される。この結果、生体情報測定に対する信頼性を高めることができる。
【００９２】
また、本実施形態においては、図２２〜図２４、および図２９に示すように、ガスケット２０の長手方向に直交する断面は、頂部側が底部側よりも幅が狭い。つまり、ガスケット２０の頂部は、トランスミッタ５の下面側に設けられた環状の当接突起７３に当接する。しかし、ガスケット２０の頂部がその底部、つまりセンサベース４への接着面よりも小さい。このため、トランスミッタ５の再利用時に問題が発生することが少ない。具体的に説明すると、本実施形態においては、図８に示すように、トランスミッタ５には、制御部１２、通信部１４、記憶部１３が設けられているため、再利用が可能になる。
【００９３】
つまり、センサベース４は、センサユニット９を有するもので、これは使用期間が経過すれば取り替えられる。取り替え後のセンサベース４には、センサユニット９はもちろん、電池１０も新しいものが装着されている。よって、電池１０からの電力供給を受ければ、トランスミッタ５は何度も再利用が可能である。
したがって、本実施形態においては、トランスミッタ５が何度も使用されるが、その下面側には、ガスケット２０が当接する。これにより、水密が保持されるため、センサベース４からのトランスミッタ５の引き剥がし時にガスケット２０がトランスミッタ５側に引っ付いて剥がれてしまうのを防止するために、本実施形態では、ガスケット２０の長手方向に直交する断面の頂部側が、底部側よりも幅を狭い。これにより、トランスミッタ５の再利用時にセンサベース４から引き剥がせば、ガスケット２０は粘着力の高いセンサベース４側に残り、トランスミッタ５に引っ付いて剥がれてしまうことはない。
【００９４】
このため、トランスミッタ５の再利用時には、その下面側に新しいセンサベース４のガスケット２０が適切に当接し、その部分における水密状体を確保することができる。
また本実施形態においては、図２２〜図２４および図２９に示すように、センサベース４のガスケット２０内周近傍には、このガスケット２０の内方変位時に、その一部が当接する内周壁７４が設けられている。つまり、図２４、図２９に示すように、センサベース４にトランスミッタ５が装着されると、ガスケット２０によって水密エリア７１が形成されている。しかし、ガスケット２０は、水密性を保つためにも、弾性を有しており、この弾性があることが、逆に水密性を損なうことにもなりかねない。
【００９５】
例えば、図１のように、生体情報測定装置１を人体２に装着した状態で、入浴したり、海水浴をしたりした場合、水圧がガスケット２０の外周側に加わる。その結果、ガスケット２０は、内方へと変位する。そこで、このようなガスケット２０の内方への変位時にその一部が当接する内周壁７４が設けられていることで、ガスケット２０は、内周壁７４で受け止められ、それ以上の内方への変位は阻止される。この結果、これらの入浴、海水浴時でも、ガスケット２０による水密対策は保持される。
【００９６】
また、内周壁７４は、ガスケット２０よりも高さ方向の寸法が高い。これは、ガスケット２０の内方への大きな変位を、内周壁７４で受け止めるためである。また、このように、内周壁７４は、ガスケット２０よりも高さ方向の寸法が高いため、図２２のように、センサベース４にトランスミッタ５を装着する際に、指先がガスケット２０の上面に触れて汚してしまうのを抑制することもできる。
【００９７】
さらに本実施形態においては、センサベース４の上面でガスケット２０の外周部に、トランスミッタ５側に突出する外周壁７５が設けられている。そして、外周壁７５の高さ方向の寸法は、内周壁７４の高さ寸法よりも高い。つまり、図２２に示すように、センサベース４にトランスミッタ５を装着する際に、指先がガスケット２０の上面に触れて汚してしまうのを、外周壁７５と内周壁７４とで抑制することができる。
【００９８】
なお、本実施形態においては、上述のように、環状のガスケット２０がセンサベース４の上面に設けられている構成について説明したが、図７５に示すように、環状のガスケット２０ａが、トランスミッタ５の下面に設けられた構成であってもよい。
この場合、図７６に示すように、センサベース４の上面側には、トランスミッタ５のガスケット２０ａの頂部が当接される環状の当接突起７３ａが設けられている。そして、図７７に示すように、トランスミッタ５が、センサベース４に装着された状態で、ガスケット２０ａの頂部に当接突起７３ａを当接させることにより、水密エリア７１ａが形成される。
【００９９】
この水密エリア７１ａ内において、センサベース４には、上述のように、電池１０および配線基板４０が配置され、センサユニット９の接続部４２が紫外線硬化型の導電性接着剤５２によって配線基板４０に接続されている（図４４参照）。
さらに、水密エリア７１ａ内において、トランスミッタ５には、上述のように、センサベース４の配線基板４０に接続される接続電極１７と、接続電極１７に接続された制御部１２と、制御部１２に接続された通信部１４および記憶部１３と、が配置されている。
この構成においても、水密エリア７１ａ内に液状物質が浸入することはなく、水密エリア内の各部品や電気的接続状態が劣化することはない。
【０１００】
＜特徴点１１＞
また本実施形態においては、図４０〜図６０に示すように、上面に、紫外線硬化型樹脂によって形成された環状のガスケット２０を有するセンサベース４と、センサベース４の上面側に配置されるトランスミッタ５と、を備えている。センサベース４のガスケット２０の内方に形成される水密エリア７１内部分に、配線基板４０が配置されている。さらに、水密エリア７１の内部分の第１の軸方向（例えば、Ｙ軸方向）に、２個（複数個）の電池１０が配置されている。水密エリア７１の内部分で第１の軸方向に直交する第２の軸方向（例えば、Ｘ軸方向）には、配線基板４０で、センサユニット９への接続部（電極４８〜５０）と、トランスミッタ５への接続部（電極１８）とが配置されている。
【０１０１】
これにより、センサベース４の小型化がはかれる。
すなわち、本実施形態においては、センサベース４上で配線基板４０にセンサユニット９の接続部４２が接続されているので、使用者は、センサユニット９をセンサベース４に取り付ける作業が不要となり、極めて利便性の高いものとなる。
また、センサベース４のガスケット２０の内方に形成される水密エリア７１の内部分に、配線基板４０が配置されると共に、水密エリア７１の内部分の第１の軸方向に２個の電池１０が配置されている。そして、水密エリア７１の内部分で第１の軸方向に直交する第２の軸方向には、配線基板４０においてセンサユニット９への接続部（電極４８〜５０）と、トランスミッタ５への接続部（電極１８）とが配置されている。これにより、センサベース４の小型化が図れ、この点でも使用者の利便性が高いものとなる。
【０１０２】
つまり、持続血糖測定を行うためには、長期間の電力供給が必要になるため、大きな電池容量が必要とされる。しかし、１つの電池でそれを補おうとした場合、この１つの電池が大きくなってしまい、これにより、センサベース４自体も大きくなってしまう。
そこで、本実施形態においては、電池１０が複数個に分割されているため、電池１０間のスペースを有効に活用することで、センサベース４を小さくすることができる。具体的には、センサベース４のガスケット２０の内方に形成される水密エリア７１の内部分に、配線基板４０が配置されると共に、水密エリア７１の内部分の第１の軸方向に、２個の電池１０が配置されている。さらに、水密エリア７１の内部分における第１の軸方向に直交する第２の軸方向には、配線基板４０において、センサユニット９への接続部（電極４８〜５０）と、トランスミッタ５への接続部（電極１８）とが配置されている。これにより、センサベース４上に必要とされる電池１０、トランスミッタ５への接続部（電極１８）、センサユニット９への接続部（電極４８〜５０）が効率的に配置され、この結果、センサベース４の小型化が図れる。
【０１０３】
また、センサベース４には、水密エリア７１外にガイド針２７を挿入させる挿入孔７０が設けられている。そして、挿入孔７０内には、センサユニット９の挿入部４３が臨ませている。このため、ガイド針２７によって、挿入孔７０内のセンサユニット９の挿入部４３は、人体２へと適切にガイド挿入される。ガイド針２７の挿入孔７０部分は、センサベース４における水密エリア７１外である。よって、センサベース４の水密エリア７１内への液状物質の浸入が発生することはない。
【０１０４】
＜特徴点１２＞
また本実施形態の生体情報測定装置１は、図１９〜図２４に示すように、上面に、紫外線硬化型樹脂によって形成された環状のガスケット２０を有するセンサベース４と、センサベース４の上面側に配置されるトランスミッタ５と、を備えている。
センサベース４には、ガスケット２０の内方に形成される水密エリア７１内部分に、電池１０と配線基板４０とが配置されている。配線基板４０には、図４６、図４７に示すように、センサユニット９への第１の接続部（電極４８〜５０）と、トランスミッタ５への第２の接続部（電極１８）とが配置されている。
【０１０５】
トランスミッタ５には、水密エリア７１内部分にセンサベース４の第２の接続部（電極１８）に接続される電極１７（図５参照）が配置されている。さらに、図６４に示すように、センサベース４の第２の接続部（電極１８）とトランスミッタ５の電極１７との間には、多極接点１９が配置されている。
そして、多極接点１９の高さは、センサベース４上における電池１０およびセンサユニット９の高さよりも高いため、測定の信頼性を高めることができる。
【０１０６】
すなわち、センサベース４上で配線基板４０にセンサユニット９の接続部４２が接続されている。このため、使用者は、センサユニット９をセンサベース４に取り付ける作業が不要となり、極めて利便性の高いものとなる。
また、センサユニット９がセンサベース４に予め接続されているので、両者の接続不具合による測定ミスも発生しない。
【０１０７】
さらに、センサベース４とトランスミッタ５とは、センサベース４の水密エリア７１内に配置した多極接点１９を介して接続される。そして、多極接点１９の高さは、センサベース４上における電池１０およびセンサユニット９の高さよりも高い。このため、センサベース４にトランスミッタ５が取り付けられると、センサベース４とトランスミッタ５とは、多極接点１９を介して確実に接続される。よって、この点からも測定の信頼性を高めることができる。
【０１０８】
＜特徴点１３＞
また本実施形態においては、図１９〜図２４、図４６、図４７に示すように、上面に、紫外線硬化型樹脂によって形成された環状のガスケット２０を有するセンサベース４と、センサベース４の上面側に配置される板状のトランスミッタ５と、を備えている。センサベース４のガスケット２０の内方に形成される水密エリア７１内部分に、電池１０と配線基板４０とが配置されている。配線基板４０には、センサユニット９への第１の接続部（電極４８〜５０）と、トランスミッタ５への第２の接続部（電極１８）とが配置されている。
【０１０９】
さらに、トランスミッタ５の水密エリア７１内部分には、センサベース４の第２の接続部（電極１８）に接続される電極１７（図５参照）が配置されている。トランスミッタ５は、電極１７に接続される制御部１２、制御部１２に接続される通信部１４、ノイズフィルタ７６（図８、図６４参照）および記憶部１３を有している。
そして、これらの制御部１２、通信部１４、ノイズフィルタ７６、記憶部１３のうち、最も高さの高いノイズフィルタ７６が、図６４に示すように、平面視の中央部分に配置されている。そして、その外周方向には、制御部１２、通信部１４、記憶部１３が平面状に配置されている。
【０１１０】
つまり、ノイズフィルタ７６は、コイル部品が必要となるので、他の制御部１２、通信部１４、記憶部１３よりも背が高くなってしまう。また、通信部１４を構成するアンテナ７７は、長い導体パターンが必要となるので、図６４に示すように、基板１６の外周部分に円弧状に配置される。しかし、導体パターンは薄いため、トランスミッタ５の外周部分の背が高くなることはない。
【０１１１】
そして、このように電極１７をセンサベース４側に露出させた状態で、制御部１２、通信部１４、ノイズフィルタ７６、記憶部１３はモールド樹脂によって一体にモールド成形されているため、測定の信頼性を高めることができる。すなわち、センサベース４上では、配線基板４０にセンサユニット９の接続部４２が接続された状態となっている。このため、使用者は、センサユニット９をセンサベース４に取り付ける作業が不要となり、利便性を向上させることができる。
【０１１２】
また、センサユニット９がセンサベース４に予め接続されているので、両者の接続不具合による測定ミスも発生しない。
さらに、トランスミッタ５の水密エリア７１に対応する部分には、センサベース４との電気的接続を行う電極１７が配置されている。このため、電極１７を介したトランスミッタ５とセンサベース４との電気的接続状態は、適切に維持される。この結果、測定に対する信頼性を向上させることができる。
【０１１３】
また、電池１０は、センサベース４側に配置され、トランスミッタ５には、この電池１０から電源供給を受ける制御部１２、通信部１４、記憶部１３などが配置されている。このため、次回の測定に向けてセンサユニット９を交換しても、トランスミッタ５は、再度活用することが可能となる。つまり、新しいセンサベース４の電池１０から電力供給を受ければ、トランスミッタ５は、何度も繰り返し活用することができ、利便性の高いものとなる。
【０１１４】
このようなトランスミッタ５の繰り返し使用のためには、その電極１７部分が汚れたり損傷したりしないようにすることが必要である。そのために、トランスミッタ５の水密エリア７１対応部分には、電極１７が配置されている。また、他の制御部１２、通信部１４、記憶部１３等は、モールド樹脂によって一体的に覆われている。
さらに、モールド樹脂によって板状構成体としたトランスミッタ５は、制御部１２、通信部１４、ノイズフィルタ７６、記憶部１３のうち最も高さの高いノイズフィルタ７６が平面視の中央部分に配置されている。そして、電極１７がセンサベース４側に露出した状態で、制御部１２、通信部１４、ノイズフィルタ７６、記憶部１３は、モールド樹脂によって一体的にモールド成形されている。よって、板状のトランスミッタ５の外周部は、背が低くセンサベース４側に近寄った形状となる。この結果、使用者に薄型感を与え、使い勝手の良いものとなる。
【０１１５】
＜特徴点１４＞
また、本実施形態においては、図４６、図４７に示すように、温度センサ１１がセンサベース４上の配線基板４０に実装されている。そして、図６５〜図６７に示すように、温度センサ１１に対応するセンサベース４の下面部分には、皮膚テープ８を下方に貫通した熱伝導突起７８が設けられている。つまり、本実施形態においては、熱伝導突起７８が人体２の皮膚に直接触れる状態が形成される。よって、この温度が、熱伝導突起７８、センサベース４を介して温度センサ１１に伝達されるため、血糖値を適切に検出することができる。
【０１１６】
すなわち、温度センサ１１にとっては、熱伝導突起７８、センサベース４を介して体温が伝達される。しかし、熱伝導突起７８、センサベース４の熱伝達特性は、空間（従来例において温度センサと皮膚との間に存在する空間）の熱伝達特性よりも遙かに高い。これにより、体温は、温度センサ１１に適切に伝達されるため、血糖値を適切に検出することができる。
【０１１７】
また、温度センサ１１は、センサベース４上に配置され、皮膚に触れることが無い。このため、皮膚近傍の物質が温度センサ１１に付着して、その特性を変異させることはないため、血糖値を適切に検出することができる。
さらに、本実施形態においては、熱伝導突起７８は、図６７から理解されるように、その平面視形状が温度センサ１１の平面視形状よりも大きい。その理由は、この熱伝導突起７８の平面視形状を大きくすることで、体温の受熱がし易く、それを温度センサ１１に伝達させるためである。
【０１１８】
なお、皮膚テープ８とセンサベース４との間には、両面テープ７が設けられている。そして、両面テープ７には、熱伝導突起７８が貫通する貫通孔７９、皮膚テープ８には熱伝導突起７８が貫通する貫通孔８０が設けられている。
本実施形態においては、図６５からも理解されるように、センサベース４の下面に、位置決め用突起８１が形成されている。この位置決め用突起８１が貫通する貫通孔も、両面テープ７、皮膚テープ８に形成されている。
【０１１９】
なお、図６５〜図６７では、両面テープ７において位置決め用突起８１が貫通する貫通孔は、図示されていないが、皮膚テープ８においては、貫通孔８２を位置決め用突起８１が貫通する。つまり、両面テープ７が付着された皮膚テープ８は、熱伝導突起７８、位置決め用突起８１に、それぞれ貫通孔８０、８２が合致されることで、センサベース４に対する位置決めが行われる。
【０１２０】
なお、温度センサ１１が配線基板４０の上面側に実装され、図７２、図７３に示すように、配線基板４０には、その下面側で、温度センサ１１と熱伝導突起７８との間の位置にグランドパターン９３が配置されてもよい。このグランドパターン９３は、図７３に示すように、温度センサ１１（図７３における点線部分）の直下に配置されると共に、温度センサ１１の平面視形状よりも大きく形成されている。また、グランドパターン９３は、熱伝導突起７８の（図７３における点線部分）の直上に配置されると共に、平面視の状態で熱伝導突起７８の大部分を覆うように形成されている。
【０１２１】
このため、人体２の皮膚から熱伝導突起７８に伝わった熱は、金属製のグランドパターン９３を介して温度センサ１１のグランド端子（図示せず）に伝達されるため、血糖値をより適切に検出することができる。
つまり、グランドパターン９３は、配線基板４０の電磁波をシールドするために設けられているが、グランドパターン９３を活用して人体２の熱が温度センサ１１に伝達される。
【０１２２】
＜特徴点１５＞
また、本実施形態においては、上述のように、トランスミッタ５の下面側には、図５に示すように、複数の電極１７が所定間隔をおいて同心円状に配置されている。複数の電極１７には、図８に示すように、制御部１２が接続されている。一方、センサベース４上の配線基板４０には、図４７に示すように、これらの電極１７と、センサベース４のセンサユニット９、電池１０、温度センサ１１を電気的に接続するための電極１８が設けられている。
【０１２３】
そして、配線基板４０の電極１８とトランスミッタ５の電極１７とは、多極接点１９によって接続されている。つまり、本実施形態においては、トランスミッタ５の電極１７が同心円状に配置されていることで、センサベース４に方向性を持たずに（３６０度対応）電気的に接続される。
この状態において、センサベース４側の電極１８には、センサユニット９が接続されている。
【０１２４】
本実施形態においては、トランスミッタ５側の電極１７が、図６８のように構成されている。つまり、図８において、電池１０、温度センサ１１に接続される３本の電極１７は、内周側に配置され、センサユニット９に接続される３本の電極１７が外周側に配置されている。そして、これら内周側の電極１７と外周側の電極１７との間には、１６個のテストポイント８３が、所定間隔をおいて円状に配置されている。１６個のテストポイント８３は、円状の電極を等間隔に１６分割されており、内周側の電極１７と外周側の電極１７との間で電極１７同心に形成されている。
【０１２５】
つまり、出荷前の製造時において、トランスミッタ５の動作確認を行うために、テストポイント８３が設けられている。この動作確認は、図６９に示すように、トランスミッタ５の下面側の多極接点８４とテスト基板８５とを重ねた状態で行われる。多極接点８４は、多極接点１９と同じように、弾性を有する円板状の絶縁性基体に、複数の電気接続線を貫通させた構成となっている。また、テスト基板８５は、上面側に、トランスミッタ５の電極１７、テストポイント８３と同じパターンのテスト電極８６が配置され、下面側に、図７０に示すように、テストポイント８７が配置されている。
【０１２６】
つまり、テスト基板８５の下面側においては、テストポイント８７にプローブ（図示せず）が当接しているため、テストポイント８７間が拡げられている。このように、動作確認を行うためには、トランスミッタ５と多極接点８４とテスト基板８５とが、適切に重ね合わされる必要がある。そのため、テスト基板８５には、その中心部と外周部に貫通孔８８が設けられている。また、多極接点８４も、その中心部と外周部に貫通孔８９が設けられている。さらに、トランスミッタ５の中心部と最外周の電極１７の外周部分に、凹部９０が設けられている。
【０１２７】
つまり、トランスミッタ５と多極接点８４とテスト基板８５とが重ね合わされ、貫通孔８８，貫通孔８９を貫通させて位置決め棒（図示せず）を上昇させ、凹部９０に突入させる。よって、これらトランスミッタ５、多極接点８４、テスト基板８５が適切に重合させられた状態となる。これにより、トランスミッタ５の動作確認を行うことができる。
この実施形態では、トランスミッタ５の動作確認を行うために、トランスミッタ５が適切に配置され、その状態で動作確認を行うために、凹部９０が形成されている。つまり、凹部９０は、トランスミッタ５における識別ポイントとなり、識別ポイントとしては、凹部９０以外にマーキングで形成することもできる。
【０１２８】
以上のように本実施形態においては、トランスミッタ５の下面側に複数の電極１７が、所定間隔をおいて同心円状に配置されている。よって、センサベース４に対する取付けの方向性を考えることなく、簡単にセンサベース４に取り付けることができ、極めて利便性の高いものとなる。
また、トランスミッタ５の出荷前の動作確認は、トランスミッタ５の下面側に配置された複数のテストポイント８３を用いて行われるが、トランスミッタ５には、テストポイント８３の識別を行う凹部９０（識別ポイントの一例）が２個配置されている。よって、凹部９０によってテストポイント８３が適切に識別され、適切に動作確認を行うことができ、極めて作業性の高いものとなる。識別を行う凹部９０は、同心円状の複数の電極１７の最内周と最外周に配置されている。
【０１２９】
また、１６個のテストポイント８３は、トランスミッタ５の基板１６の下面側に同心円状に配置されている電極１７と同心で配置されている。このため、基板１６の上面側に配置された制御部１２、通信部１４、記憶部１３を、樹脂によってモールドし、これら電子部品を液状物質に触れないようにすることができる。一方、テストポイント８３は、トランスミッタ５の水密エリア７１対応部分に配置されているので、１６個のテストポイント８３が液状物質に触れてしまうこともない。
【０１３０】
また、本実施形態においては、図６８から理解されるように、テストポイント８３の内周側あるいは外周側のうち、センサユニット９に接続される電極１７側に対向して、アースパターン９１が配置されている。つまり、図６８の上方には、基板１６の下面側を示されており、図６８の下方には、基板１６の内層面を示されている。この基板１６の内層面において、外周側の電極１７に対応するアースパターン９１が、配置されている。
【０１３１】
このため、テストポイント８３側からの高周波ノイズが外周側の電極１７に伝達されにくくなる。テストポイント８３は、制御部１２におけるデジタル処理部分のチェックをする部分であって、テストポイント８３には、デジタル信号が現れている。よって、これが、外周側の電極１７に伝達されにくくするために、アースパターン９１が設けられている。
【０１３２】
本実施形態においては、テストポイント８３は、図８に示すように、制御部１２に接続される。そして、例えば、１６個のテストポイント８３では、５個が制御部１２のファームウェアの書き込み用、２個が電源およびグランド、５個がデジタル信号のモニタ用、４個がアナログ信号のモニタ用に割り当てられる。
【産業上の利用可能性】
【０１３３】
本発明は、例えば、持続血糖測定を行う生体情報測定装置として、広く活用が期待される。
【符号の説明】
【０１３４】
１      生体情報測定装置
２      人体
３      腕
４      センサベース
５      トランスミッタ
６      開口部
７      両面テープ
８      皮膚テープ
８ａ    非接着面
９      センサユニット
１０      電池
１１      温度センサ
１２      制御部
１３      記憶部
１４      通信部
１５      携帯端末
１６      基板
１７      電極
１８      電極
１９      多極接点
２０      ガスケット
２０ａ    ガスケット
２１      係止部
２２      係止爪体
２３      インサータ
２４      キャップ
２４ａ    開口部
２４ｂ    係合部
２５      鍔
２６      フランジ
２７      ガイド針
２８      乾燥剤
２９      乾燥剤保持部材
３０      ラックギア
３１      ピニオンギア
３２      ラックギア
３３      係止爪
３４      開孔
３５      隙間
３６      指
３７      爪
３８      取り外し凹部
３９      傾斜面
４０      配線基板
４０ａ    導電性テープ
４０ｂ    導電性テープ
４１      折り返しパターン
４２      接続部
４３      挿入部
４４      熱伝達抑制凹部
４５，４６，４７  電極
４８，４９，５０  電極
５１      開口部
５２      導電性接着剤
５３      隙間
５４      隙間
５５      くぼみ
５６，５７，５８  突起
５９      樹脂
６０      突起
６１      下ケース
６２      上ケース
６２ａ    開口部
６２ｂ    突起
６３      針ホルダ
６４      延長部
６５      縦辺
６６      位置決め部
６７      位置決め部
６８      位置決め部
６９      上辺
７０      挿入孔
７１      水密エリア
７１ａ    水密エリア
７２      切欠部
７３      当接突起
７３ａ    当接突起
７４      内周壁
７５      外周壁
７６      ノイズフィルタ
７７      アンテナ
７８      熱伝導突起
７９      貫通孔
８０      貫通孔
８１      位置決め用突起
８２      貫通孔
８３      テストポイント
８４      多極接点
８５      テスト基板
８６      テスト電極
８７      テストポイント
８８      貫通孔
８９      貫通孔
９０      凹部
９１      アースパターン
９２      Ｏリング
９３      グランドパターン
【図１】
2020157017.tif 000003
【図２】
2020157017.tif 000004
【図３】
2020157017.tif 000005
【図４】
2020157017.tif 000006
【図５】
2020157017.tif 000007
【図６】
2020157017.tif 000008
【図７】
2020157017.tif 000009
【図８】
2020157017.tif 000010
【図９】
2020157017.tif 000011
【図１０】
2020157017.tif 000012
【図１１】
2020157017.tif 000013
【図１２】
2020157017.tif 000014
【図１３】
2020157017.tif 000015
【図１４】
2020157017.tif 000016
【図１５】
2020157017.tif 000017
【図１６】
2020157017.tif 000018
【図１７】
2020157017.tif 000019
【図１８】
2020157017.tif 000020
【図１９】
2020157017.tif 000021
【図２０】
2020157017.tif 000022
【図２１】
2020157017.tif 000023
【図２２】
2020157017.tif 000024
【図２３】
2020157017.tif 000025
【図２４】
2020157017.tif 000026
【図２５】
2020157017.tif 000027
【図２６】
2020157017.tif 000028
【図２７】
2020157017.tif 000029
【図２８】
2020157017.tif 000030
【図２９】
2020157017.tif 000031
【図３０】
2020157017.tif 000032
【図３１】
2020157017.tif 000033
【図３２】
2020157017.tif 000034
【図３３】
2020157017.tif 000035
【図３４】
2020157017.tif 000036
【図３５】
2020157017.tif 000037
【図３６】
2020157017.tif 000038
【図３７】
2020157017.tif 000039
【図３８】
2020157017.tif 000040
【図３９】
2020157017.tif 000041
【図４０】
2020157017.tif 000042
【図４１】
2020157017.tif 000043
【図４２】
2020157017.tif 000044
【図４３】
2020157017.tif 000045
【図４４】
2020157017.tif 000046
【図４５】
2020157017.tif 000047
【図４６】
2020157017.tif 000048
【図４７】
2020157017.tif 000049
【図４８】
2020157017.tif 000050
【図４９】
2020157017.tif 000051
【図５０】
2020157017.tif 000052
【図５１】
2020157017.tif 000053
【図５２】
2020157017.tif 000054
【図５３】
2020157017.tif 000055
【図５４】
2020157017.tif 000056
【図５５】
2020157017.tif 000057
【図５６】
2020157017.tif 000058
【図５７】
2020157017.tif 000059
【図５８】
2020157017.tif 000060
【図５９】
2020157017.tif 000061
【図６０】
2020157017.tif 000062
【図６１】
2020157017.tif 000063
【図６２】
2020157017.tif 000064
【図６３】
2020157017.tif 000065
【図６４】
2020157017.tif 000066
【図６５】
2020157017.tif 000067
【図６６】
2020157017.tif 000068
【図６７】
2020157017.tif 000069
【図６８】
2020157017.tif 000070
【図６９】
2020157017.tif 000071
【図７０】
2020157017.tif 000072
【図７１】
2020157017.tif 000073
【図７２】
2020157017.tif 000074
【図７３】
2020157017.tif 000075
【図７４】
2020157017.tif 000076
【図７５】
2020157017.tif 000077
【図７６】
2020157017.tif 000078
【図７７】
2020157017.tif 000079